(57)【要約】【課題】本発明は、換気量を十分確保した上で風や雨等が屋内に入るのを抑えることができると共に大型にならないので利用が制限されず意匠や景観も損なうことがない屋外換気口を提供する。【解決手段】屋外換気口１０の換気口本体１２の背板部２２には庇状の第１整流板３０が取り付けられている。この第１整流板３０の傾斜部３２は屋外側下方向に向かって傾斜し、先端部には屋外側上方向に傾斜した第１傾斜片３６が一体形成されている。また、背板部２２には第２整流板４０が取り付けられている。この第２整流板４０の傾斜部４２は屋外側上方向に向かって傾斜し、先端部には屋外側下方向に傾斜した第２傾斜片４６が一体形成されている。前記換気口本体１２の屋外側には背板部２２、第１整流板３０、第２整流板４０を屋外側から覆うようにフード体５０が固着されている。【選択図】    図１
2004309063.tif 000002
【特許請求の範囲】
【請求項１】
壁の屋外側に取り付けられる換気口本体と、この換気口本体を構成すると共に前記壁に穿設された通気孔に挿入される筒状の胴部と、この胴部の屋外側に形成されて前記胴部と共に換気口本体を構成する背板部と、この背板部の屋外側に前記胴部を挟むように対向して突設された第１整流板及び第２整流板と、この第１整流板の屋外側で前記第２整流板方向に向かって傾斜して形成された第１傾斜部と、この第１傾斜部の先端部に第２整流板と離間方向に向かって折り曲げ形成された第１傾斜片と、前記第２整流板の屋外側で前記第１整流板方向に向かって傾斜して形成された第２傾斜部と、この第２傾斜部の先端部に第１整流板と離間方向に向かって折り曲げ形成された第２傾斜片と、前記背板部、第１整流板、第２整流板を覆うようにして取り付けられたたフード体と、このフード体の内部にフード体と第１整流板によって囲われることにより形成された第１開口部と、前記フード体の内部にフード体と第２整流板によって囲われることにより形成されると共に前記第１開口部と対向して形成された第２開口部と、を有してなることを特徴とする屋外換気口。
【請求項２】
壁の屋外側に取り付けられる換気口本体と、この換気口本体を構成すると共に前記壁に穿設された通気孔に挿入される筒状の胴部と、この胴部の屋外側に形成されて胴部と共に換気口本体を構成する背板部と、この背板部の屋外側であって前記胴部より上方に位置するように取り付けられた第１整流板と、この第１整流板に屋外側下方向に向かって傾斜して形成された第１傾斜部と、この第１傾斜部の先端部に上方向に向かって傾斜して形成された第１傾斜片と、前記背板部の屋外側であって前記胴部より下方する位置に前記第１清流板と対抗するように取り付けられた第２整流板と、この第２整流板に屋外側上方向に向かって傾斜して形成された第２傾斜部と、この第２傾斜部の先端部に下方向に向かって傾斜して形成された第２傾斜片と、横断面略Ｕ字形状に形成されると共に前記背板部に第１整流板、第２整流板を覆うように固着されたフード体と、このフード体の内部上側にフード体と第１整流板によって囲われて形成された第１開口部と、前記フード体の内部下側にフード体と第２整流板によって囲われて形成されると共に前記第１開口部と略同面積に形成された第２開口部と、を有してなることを特徴とする屋外換気口。
【請求項３】
壁の屋外側に取り付けられる換気口本体と、この換気口本体を構成すると共に前記壁に穿設された通気孔に挿入される筒状の胴部と、この胴部の屋外側に形成されて胴部と共に換気口本体を構成する背板部と、この背板部の屋外側であって前記胴部より横方向一側側に位置するように取り付けられた第１整流板と、この第１整流板に屋外他側側に向かって傾斜して形成された第１傾斜部と、この第１傾斜部の先端部に一側側に向かって傾斜して形成された第１傾斜片と、前記背板部の屋外側であって前記胴部より横方向他側側に前記第１整流板と対抗するように取り付けられた第２整流板と、この第２整流板に屋外側一側側に向かって傾斜して形成された第２傾斜部と、この第２傾斜部の先端部に他側側に向かって傾斜して形成された第２傾斜片と、縦断面略コ字形状に形成されると共に前記背板部に第１整流板、第２整流板を覆うように固着されたフード体と、このフード体の内部一側にフード体と第１整流板によって囲われて形成された第１開口部と、前記フード体の内部他側にフード体と第２整流板によって囲われて形成されると共に前記第１開口部と略同面積に形成された第２開口部と、を有してなることを特徴とする屋外換気口。
【請求項４】
前記第１傾斜片及び第２傾斜片の延長線は前記胴部の屋内側端面よりも屋外側になるように形成したことを特徴とする請求項１、請求項２、請求項３記載の屋外換気口。
【発明の詳細な説明】
【０００１】
【発明の属する技術分野】
本発明は、建築物内部の換気を行うために建築物の壁外側等に取り付けられる屋外換気口に関する。
【０００２】
【従来の技術】
建築物内部の換気を行うために建築物の壁外側等に屋外換気口を取り付ける場合がある。
ところで、従来の屋外換気口は壁に貫通形成された通気孔に屋外側から屋外側換気口を構成する換気口本体の胴部を嵌め込み、この胴部の先端部の先端部には屋外に突出するフード体が取り付けられている。
このフード体は強い風や雨水が換気口本体を通過して屋内に入り込むのを防止するために、下端部にのみ開口部を形成すると共に内部にガラリ等を内配している（例えば、特許文献１参照。）。
このため、フード体の上部や側部から強い風や雨等が入り込むの防いで換気口本体を風や雨等が通過して屋内側に進入するのを抑えることはできるが、ガラリ等を内設したり、フード体の下端部に形成された開口部だけで換気を行うため、フード体に対する空気抵抗が増加して換気量が減少してしまうという不具合がある。
そこで、前記フード体全体を大型に形成することにより換気量を増加させることも可能であるが、フード体を大型にすると風や雨等が進入し易くなると共にフード体の突出量が大きくなって屋外側換気口の利用が制限されたり意匠上、景観上に不具合が生じる。
【０００３】
【特許文献１】
特開平１１−３７５２６号公開公報（図１）
【０００４】
【発明が解決しようとする課題】
本発明は上記事実に鑑みなされたものであり、換気量を十分確保した上で風や雨等が屋内に入るのを抑えることができると共に大型にならないので利用が制限されずに意匠や景観も損なうことがない屋外換気口を提供するものである。
【０００５】
【課題を解決するための手段】
請求項１の発明は、壁の屋外側に取り付けられる換気口本体と、この換気口本体を構成すると共に前記壁に穿設された通気孔に挿入される筒状の胴部と、この胴部の屋外側に形成されて前記胴部と共に換気口本体を構成する背板部と、この背板部の屋外側に前記胴部を挟むように対向して突設された第１整流板及び第２整流板と、この第１整流板の屋外側で前記第２整流板方向に向かって傾斜して形成された第１傾斜部と、この第１傾斜部の先端部に第２整流板と離間方向に向かって折り曲げ形成された第１傾斜片と、前記第２整流板の屋外側で前記第１整流板方向に向かって傾斜して形成された第２傾斜部と、この第２傾斜部の先端部に第１整流板と離間方向に向かって折り曲げ形成された第２傾斜片と、前記背板部、第１整流板、第２整流板を覆うようにして取り付けられたたフード体と、このフード体の内部にフード体と第１整流板によって囲われることにより形成された第１開口部と、前記フード体の内部にフード体と第２整流板によって囲われることにより形成されると共に前記第１開口部と対向して形成された第２開口部と、を有してなることを特徴としている。
請求項２の発明は、壁の屋外側に取り付けられる換気口本体と、この換気口本体を構成すると共に前記壁に穿設された通気孔に挿入される筒状の胴部と、この胴部の屋外側に形成されて胴部と共に換気口本体を構成する背板部と、この背板部の屋外側であって前記胴部より上方に位置するように取り付けられた第１整流板と、この第１整流板に屋外側下方向に向かって傾斜して形成された第１傾斜部と、この第１傾斜部の先端部に上方向に向かって傾斜して形成された第１傾斜片と、前記背板部の屋外側であって前記胴部より下方する位置に前記第１清流板と対抗するように取り付けられた第２整流板と、この第２整流板に屋外側上方向に向かって傾斜して形成された第２傾斜部と、この第２傾斜部の先端部に下方向に向かって傾斜して形成された第２傾斜片と、横断面略Ｕ字形状に形成されると共に前記背板部に第１整流板、第２整流板を覆うように固着されたフード体と、このフード体の内部上側にフード体と第１整流板によって囲われて形成された第１開口部と、前記フード体の内部下側にフード体と第２整流板によって囲われて形成されると共に前記第１開口部と略同面積に形成された第２開口部と、を有してなることを特徴としている。
請求項３の発明は、壁の屋外側に取り付けられる換気口本体と、この換気口本体を構成すると共に前記壁に穿設された通気孔に挿入される筒状の胴部と、この胴部の屋外側に形成されて胴部と共に換気口本体を構成する背板部と、この背板部の屋外側であって前記胴部より横方向一側側に位置するように取り付けられた第１整流板と、この第１整流板に屋外他側側に向かって傾斜して形成された第１傾斜部と、この第１傾斜部の先端部に一側側に向かって傾斜して形成された第１傾斜片と、前記背板部の屋外側であって前記胴部より横方向他側側に前記第１整流板と対抗するように取り付けられた第２整流板と、この第２整流板に屋外側一側側に向かって傾斜して形成された第２傾斜部と、この第２傾斜部の先端部に他側側に向かって傾斜して形成された第２傾斜片と、縦断面略コ字形状に形成されると共に前記背板部に第１整流板、第２整流板を覆うように固着されたフード体と、このフード体の内部一側にフード体と第１整流板によって囲われて形成された第１開口部と、前記フード体の内部他側にフード体と第２整流板によって囲われて形成されると共に前記第１開口部と略同面積に形成された第２開口部と、を有してなることを特徴としている。
請求項４の発明は、前記第１傾斜片及び第２傾斜片の延長線は前記胴部の屋内側端面よりも屋外側になるように形成したことを特徴としている。
【０００６】
【発明の実施の形態】
図１〜図４には本発明に係る屋外換気口１０の一実施例が示されている。
図１に示されるように、この建築物の屋外換気口１０はビルや家屋等の建築物の外壁１１に屋外側から取り付けられるようになっている。
前記屋外換気口１０の換気口本体１２には屋内側に向かって円筒状の胴部１４が突設形成され、この胴部１４は建築物の外壁１１に穿設された通気孔１６に嵌入された通気パイプ１８に嵌入されるようになっている。
この胴部１４の外周には係止爪１９が間隔を設けて複数取り付けられている。また、胴部１４の屋内側外周にはリング状のパッキン２０が設けられ、胴部１４の外周面と通気パイプ１８の内周面との間に隙間が生じないようになっている。
前記換気口本体１２の屋外側には前記胴部１４に連続して形成された正面視矩形状の背板部２２が設けられている。この背板部２２の上端部には第１折返片２４が突設され、下端部にも第２折返片２６が突設されている。
前記背板部２２の上部には庇状の第１整流板３０が取り付けられている。この第１整流板３０の傾斜部３２は屋外側下方向に向かって傾斜している。前記第１整流板３０の基端部には逆Ｌ字状の取付片３４が一体形成されている。この取付片３４は前記背板部２２の第１折返片２４に固定されている。また、前記第１整流板３０の先端部には屋外側上方向に傾斜した第１傾斜片３６が一体形成されている。
前記背板部２２の下部には第２整流板４０が取り付けられている。この第２整流板４０の傾斜部４２は屋外側上方向に向かって傾斜している。前記第２整流板４０の基端部にはコ字状の取付片４４が一体形成されている。この取付片４４は前記背板部２２の第２折返片２６に固定されている。また、前記第２整流板４０の先端部には屋外側下方向に傾斜した第２傾斜片４６が一体形成されている。
前記第１整流板３０の第１傾斜片３６の傾斜角度θ１は第１傾斜片３６の延長線Ａ１が前記胴部１４の屋内側端面１４Ａよりも屋外側になる角度に設定されている。また、前記第２整流板４０の第２傾斜片４６の傾斜角度θ２も第２傾斜片４６の延長線Ａ２が前記胴部１４の屋内側端面１４Ａよりも屋外側になる角度に設定されている。
図２〜図４に示されるように、前記換気口本体１２の屋外側には背板部２２、第１整流板３０、第２整流板４０を屋外側から覆うようにフード体５０が固着されている。このフード体５０は横断面略Ｕ字形状に一体形成され、フード体５０の上端面５０Ａは傾斜状態に形成されている。
図３に示されるように、前記フード体５０の内部にはフード体５０と第１整流板３０によって囲われて形成された第１開口部５２と、フード体５０と第２整流板４０によって囲われて形成された第２開口部５４が形成されている。従って、屋外の空気が屋内に入るためには前記第１開口部５２、第２開口部５４を通過して換気口本体１２を通過して屋内に入り込むようになっている。なお、前記第１開口部５２と第２開口部５４の開口面積は略同一面積に形成されている。
【０００７】
次に、実施例の作用について説明する。
実施例の屋外換気口１０を建築物の外壁１１に取り付ける場合は外壁１１に貫通形成されている通気孔１６に嵌入されている通気パイプ１８に換気口本体１２の胴部１４を嵌入することにより、屋外換気口１０を建築物の外壁１１に取り付ける。
前記屋外換気口１０に強い風が吹き付けると吹き付ける風によりフード体５０の内部はフード体５０の外に比べて圧力が低くなり、これにより風はフード体５０の内部に形成された第１開口部５２と第２開口部５４を介してフード体５０の内部に入り込む。
しかし、前記第１開口部５２と第２開口部５４の開口面積は略同じ面積に形成されているため、第１開口部５２を通過して入り込もうとする風の風圧と第２開口部５４を通過して入り込もうとする風の風圧とが略同じになって風同士が牽制し合うため、換気口本体１２を通過して屋内に入り込む風の量を効率よく減少させることができる。
また、前記フード体５０から換気口本体１２を通過して屋内に入り込もうとする風は、フード体５０内に突設された第１整流板３０と第２整流板４０によって流れを変化させられ、これにより流れが強い状態のまま風が換気口本体１２を通過するのを防ぐことができる。
さらに、フード体５０内に第１整流板３０と第２整流板４０を突設したことにより、強い風や雨等は第１整流板３０、第２整流板４０に当たるため強い風や雨が換気口本体１２に入り込むのを防ぐことができる。
また、前記第１整流板３０の先端部には折り曲げられて第１傾斜片３６が形成され、前記第２整流板４０の先端部には折り曲げられて第２傾斜片４６が形成され、しかも第１傾斜片３６の延長線Ａ１と第２傾斜片４６の延長線Ａ２は共に前記胴部１４の屋内側端面１４Ａよりも屋外側になるように設定されているため、風によって換気口本体１２を通過して屋内側に飛ばされて入り込むか雨水の量を激減することができる。
なお、屋外換気口１０のフード体５０は内側に第１整流板３０、第２整流板４０、第１開口部５２、第２開口部５４を設けられるだけの大きさでよいため、フード体５０を大型にする必要がないので、屋外換気口１０の利用が制限されたり、屋外換気口１０の意匠が低下したり、屋外換気口１０を設けることにより景観が損なわれるようなことはない。
【０００８】
なお、この実施例では第１開口部５２を屋外換気口１０の上側に形成し、第２開口部５４を屋外換気口１０の下側に形成するようにしたが、必ずしも前記第１開口部５２を屋外換気口１０の上側に形成し、第２開口部５４を屋外換気口１０の下側に形成することに限定されるものではない。例えば、前記屋外換気口１０を９０°回転させて第１開口部５２を屋外換気口１０の一側側に、第２開口部５４を屋外換気口１０の他側側に位置させたり、最初から第１開口部５２を屋外換気口１０の一側側に形成し、第２開口部５４を屋外換気口１０の他側側に形成するようにしてもよい。
【０００９】
【発明の効果】
本発明の屋外換気口は、建築物内の換気の量を十分確保した上で、第１開口部と第２開口部を対向して形成することにより風や雨水等が換気口本体を通過して屋内側に進入することを大幅に減少させることができるという優れた効果を有する。
また、本発明の屋外換気口は、フード本の内側に第１整流板と第２整流板を対向して突設形成けたことにより、第１整流板と第２整流板によって風や雨等が換気口本体を通過して屋内側に進入することを大幅に減少させることができるという優れた効果を有する。
さらに、本発明の屋外換気口は、フード体を大型にしたり大きく突設させたりする必要がないので、屋外換気口の利用が制限されたり屋外換気口の意匠や景観が損なわれることがないという優れた効果を有する。
【図面の簡単な説明】
【図１】実施例の屋外換気口を取り付けた状態の縦断面図である。
【図２】実施例の屋外換気口の全体斜視図である。
【図３】実施例の屋外換気口の平面図である。
【図４】実施例の屋外換気口の正面図である。
【符号の説明】
１０    屋外換気口
１２    換気口本体
１４    胴部
２２    背板部
３０    第１整流板
３２    第１傾斜部
３６    第１傾斜片
４０    第２整流板
４２    第２傾斜部
４６    第２傾斜片
５０    フード体
５２    第１開口部
５４    第２開口部
【図１】
2004309063.tif 000003
【図２】
2004309063.tif 000004
【図３】
2004309063.tif 000005
【図４】
2004309063.tif 000006